(57)【特許請求の範囲】
【請求項１】
（a）炭酸ナトリウムを含む、有効汚れ除去量のアルカリ性源と、
（b）有効汚れ除去量の非イオン性表面活性剤混合物とを水性溶媒中に含むガラス用品、カップ、皿類、および食器類用アルカリ性水性洗剤溶液であって、
前記アルカリ性源は、１重量％の水溶液にされたときに前記洗剤溶液のｐＨを少なくとも１０．０にし、
前記非イオン性表面活性剤混合物は、
（i）疎水基と-（EO）z基（ただし、ｚは、１から１００までの数）とを含む非イオン性表面活性剤と、
（ii）下記式の非イオン性シリコーン表面活性剤
0004166836.tif 000008
［前記式中、PA=-（C2H4O）a（C3H6O）bRであり、
ｘは０から１００の数であり、ｙは１から１００の数であり、ａは０から１２の数であり、ｂは０から６０の数であり、ａ＋ｂ≧１であり、Ｒは水素または低級（Ｃ1-6）アルキルである］
とを含み、
前記非イオン性表面活性剤混合物が、前記洗剤溶液の１００万重量部に対して１７．５重量部から３６重量部の量で前記洗剤溶液中に存在し、
前記洗剤溶液が、ガラス用品、カップ、皿類、および食器類の表面からの高いワックス−脂肪性汚れ除去能力を示し、
前記洗剤溶液が、７１℃において０．０３０Ｎ／ｍ未満の表面張力を示し、汚れ除去を達成するガラス用品、カップ、皿類、および食器類用アルカリ性水性洗剤溶液。
【請求項２】
前記非イオン性表面活性剤が、直鎖アルコールエトキシレートまたはアルキルフェノールエトキシレートを含む請求項１に記載の洗剤溶液。
【請求項３】
前記非イオン性表面活性剤が、ベンジル末端のＣ８−１２の直鎖アルコール６〜１６モルのエトキシレートを含む請求項１に記載の洗剤溶液。
【請求項４】
前記洗剤溶液が、硬度金属イオン封鎖剤をさらに含む請求項１〜３のいずれかに記載の洗剤溶液。
【請求項５】
前記金属イオン封鎖剤が、トリポリリン酸ナトリウムおよびアミノトリメチレンホスホン酸ナトリウム塩、２−ホスホノ−ブタン−１，２，４−トリカルボン酸、１−ヒドロキシエチリデン−１，１−ジホスホン酸、ジエチレントリアミン−ペンタ（メチレンホスホン酸）またはこれらの混合物をさらに含む請求項４に記載の洗剤溶液。
【請求項６】
炭酸ナトリウムの含有量が５から６０重量％であり、硬度金属イオン封鎖剤の含有量が１から５０重量％である請求項４または５に記載の洗剤溶液。
【発明の詳細な説明】
発明の分野
本発明は、粉末状、ペレット状、煉瓦形または固形ブロック洗剤の形態をとることができる洗濯物、物品、原位置洗浄（CIP）、硬表面等の洗剤組成物に関する。本洗剤の各物理的実施態様は、適切な包装システムに包装した後、流通および販売することができる。典型的に、本洗剤組成物は、アルカリ性源と、汚れ除去を実質的に向上し、特に、多くの汚れた場所によくあるワックス／脂肪性の汚れに対する汚れ除去を向上させる改良された表面活性剤パッケージとを含有する。
本発明はまた、洗浄特性を高めるために表面活性剤の混合物を用いた、薄片形、粉末状、ペレット状、ブロック形等の形態のアルカリ性食器洗浄組成物に関する。特に、本発明は、アルカリ性源、表面活性剤の協動的混合物、および特定の脂肪性またはワックス性汚れに関し洗浄能力を実質的に高めることができる他の洗浄材料を含有するアルカリ性洗浄システムに関する。この洗剤は、水軟化剤、殺菌剤、金属イオン封鎖剤、再付着防止剤、消泡剤等を含む、多くの応用に有用な洗剤組成物に有用な種々の他の化学物質剤を含むこともできる。
発明の背景
アルカリ性源、１種類の表面活性剤または表面活性剤のパッケージが、他の一般的な洗浄用化学物質と配合されている洗剤組成物は、ずっと以前から公知である。このような材料は、洗濯用製品、物品洗浄組成物、原位置洗浄剤、硬表面洗浄剤などに用いられてきた。希釈して水性組成物になるように設計または組成されたアルカリ性源を含む洗浄剤は、実質的にすべて、この広い一般的な概念の範囲内で用いることができる。粉末食器洗剤は、例えばドス（Dos）ら、米国特許第3,956,199号明細書、Dosら、米国特許第3,963,635号明細書に開示されている。さらに、マクミュラン（Macmullen）ら、米国特許第3,032,578号明細書は、塩素源、有機ホスホン酸塩、表面活性組成物および水処理剤を含むアルカリ食器洗浄剤を教示している。同様に、アルムステッド（Almsted）ら、米国特許第3,351,557号明細書、ディビス（Davis）ら、米国特許第3,341,459号明細書、ジンマーマン（Zimmerman）ら、米国特許第3,202,714および3,281,368号明細書は、アルカリ性源および非イオン性表面活性材料を含むビルダ添加液体洗濯洗剤を教示している。
粉末で汎用の製品洗浄および洗濯洗浄剤は、以前から用いられている。固形ブロック洗浄組成物の製造および使用については、フェルンホルツ（Fernholz）ら、米国再発行特許第32,763号明細書および32,818号明細書、ならびにヘイル（Heile）ら、米国特許第4,595,520号明細書および4,680,134号明細書に開示されている技術から始まった。ガンサー（Gansser）、米国特許第4,753,441号明細書は、ニトリロトリアセテート金属イオン封鎖剤を用いた成形固体形態での固形洗浄剤技術を開示している。固形ブロック洗浄剤は、安全利便性および他の理由から、商業、施設および業務用洗濯、物品洗浄などの洗濯および洗浄市場における、従来の粉末および液体形態に大きな割合で急速に取って代わった。これらの固形ブロック洗浄組成物の発達は、物品洗浄剤組成物を含む多くの洗浄および消毒組成物の製造方法、および商業、施設および工業用洗浄場所での使用方法を大きく変えた。固形ブロック組成物は、従来の液体状、粉末状、粒状、ペースト状および他の形態の洗剤に比べて優れた点がある。このような利点は、安全性、経済性の良さ、取り扱いの良さなどである。
粉末状洗剤の製造は、典型的には、公知の製造設備で、粉末成分を乾燥混合または凝集させ、製品の均一性に実質的な変化がなく、包装、流通および販売できるように物理的に分離安定粉末組成物を製造する。液体材料は、通常、水性または非水性溶媒材料に混合し、ある割合の水で希釈して、水ベースの液体濃縮物を製造し、それから、包装、流通および販売する。固形ブロック洗剤組成物は、通常、硬化メカニズムを用いるなどして、固形に製造および形成する。
固形洗剤の製造において、洗浄および消毒組成物の製造時に、種々の硬化メカニズムを用い、固形ブロックが製造されてきた。硬化剤を液体から固体にし、固体材料を機械的に安定したブロック形態にするような条件下で、活性成分と硬化剤とを組み合せてきた。このような硬化システムの１つは、フェルンホルツ（Fernholz）特許に開示された溶融プロセスである。フェルンホルツ（Fernholz）特許では、融点が約５５〜６０℃の水酸化ナトリウム水和物が、硬化剤として作用する。製造プロセスは、溶融水酸化ナトリウム水和物融解液を形成し、そこに、固体粒状材料を導入する。溶融苛性剤中の固体粒状材料の懸濁液または溶液を形成し、カプセルと呼ばれる、または、固化用鋳型形状容器と呼ばれるプラステックボトルに導入する。この材料は冷却、固化し、使用に備える。その懸濁または溶解した材料は、固形中に均一に分散しており、苛性洗浄剤とともに分配される。
同様に、ヘイル（Heile）らにおいて、無水炭酸塩または無水硫酸塩を水和し、融点が約５５℃であり、一水和物、七水和物および十水和物固体の部分を有する水和物を形成する。この炭酸塩水和物は、フェルンホルツらの苛性水和物と同様に用いて、固形ブロック多成分洗剤を製造する。このような溶融プロセスの他の例は、モーガンソン（Morganson）ら、米国特許第4,861,518号明細書を含み、これは、ポリエチレングリコールなどの硬化剤を有するイオン性および非イオン性表面活性剤システムを、約３８℃より高い温度で加熱し、融解物を形成することによって形成した固形洗浄濃縮物を開示している。このような融解物は、他の成分と組み合せ、均一な分散液を形成し、それから、鋳型に入れて硬化する。モーガンソン（Morganson）ら、米国特許第5,080,819号明細書は、汚れ除去性を高めるために、有効洗浄量の非イオン性表面活性剤を用いた、低温度の物品洗浄温度での使用に適した高アルカリ成形固体組成物を教示している。グラッドフェルター（Gladfelter）、米国特許第5,316,688号明細書は、水溶性または水分散可能フィルムパッケージに包装された固形ブロックアルカリ洗剤を教示している。
グラッドフェルター（Gladfelter）、米国特許第5,078,301、5,198,198および5,234,615号明細書ならびにガンサー（Gansser）、米国特許第4,823,441および4,931,202号明細書は、固体ペレット状材料を示している。このような固体ペレット状材料は、典型的に、溶融液体を押し出しによって、または粉末をタブレットまたはペレットに圧縮することによって製造する。グラッドフェルター（Gladfelter）ら、米国特許第5,316,688号明細書は、押し出された非溶融アルカリ洗剤材料を開示している。
これらの粉末状、ペレット、液体および固体ブロック洗剤組成物は、ほとんどの商業目的に許容可能な洗浄性を有している。顧客ベース試験に導入した、または市場で販売されている材料は、商業的に許容可能な、均一に合格洗浄結果を達成した。しかし、布、物品、基体、水硬度、機械の種類、汚れの種類および汚れ量などの状態によっては、洗浄プロセス中に除去されずに、汚れが残ることがあることを我々は見い出した。我々は、ある条件において、物品の表面で固まり、高アルカリ性洗浄剤にさえ持ち堪えた多くのワックス−脂肪性汚れを発見した。このような汚れは、洗浄環境において珍しいものではなく、代表的なものは、種々の物の表面に薄膜を形成することができる疎水性物質である。口紅の汚れは、この広範な疎水性ワックス−脂肪性汚れの汚れ典型となり得ることがわかった。口紅は、典型的に、ワックス組成物、脂肪性材料、無機成分、顔料などを含む比較的複雑な混合物中において、大きな割合で脂質、脂肪およびワックス様材料を含む。ワックス様材料は、典型的に、カンデリラワックス、パラフィンワックス、カルナウバ（carnuba）ワックスなどのようなワックスを含む。脂肪性成分は、典型的に、ラノリン誘導体、イソプロピルイソステアレート、オクチルヒドロキシステアレート、ひまし油、セチルアルコール、乳酸セチルおよび他の材料を含む。このような脂質性材料は、典型的に、最も良い状況においても除去することが困難である。さらに重要なことに、口紅組成のひまし油成分は、乾性油のように作用でき、薄膜内で酸化的に架橋することができる不飽和材料であり、洗剤に高度に耐性のある架橋または擬架橋汚れ膜を形成すると考えられる。口紅の汚れおよび他の同様の、除去耐性の脂肪性またはワックス薄膜汚れの組成は、長年の間、常に注目されていた汚れであった。状況によっては、このようなワックス−脂肪性汚れは、ガラス用品、カップ、皿類、食器類などに残ることがある。
実質的に必要なのは、固形ブロック洗剤材料の洗浄特性を高めることであり、特に、口紅の汚れが典型である疎水性（脂肪性、架橋脂肪性またはワックス性）汚れに関する場合である。
このような向上のために、多くの方法を試行することができ、また、試行されてきた。研究領域の例として、水温度の効果、水硬度を下げる金属イオン封鎖剤、種々のアルカリ源の効果、金属イオン封鎖剤の種類および混合物の効果、溶媒効果および表面活性剤の選択についての実験を含む。成形固体材料に用いることができる表面活性剤は多い。多くの陰イオン性、非イオン性、陽イオン性、両性または両性イオン性などの表面活性剤があり、これらは、単独または類似または異種のものを組み合わせて用いることができる。多くの実験が行なわれたが、ワックス−脂肪性汚れは、依然として重大な問題を提起している。
発明の簡単な説明
本発明は、口紅の汚れが典型的であるワックス性−脂肪性汚れを含む、頑固な疎水性汚れの除去のための洗剤組成物の洗浄特性を実質的に高める、表面活性剤の混合物を有する洗剤組成物に関する。本発明の洗剤組成物は、液体、粉末、ペレット、固形ブロック、凝集粉末などを含む種々の製品形態で調製することができる。洗剤組成物は、第１の非イオン性表面活性剤および第２の非イオン性置換シリコーン表面活性剤を含むアルカリ性源を含む。第１の非イオン性表面活性剤および第２の非イオン性シリコーン表面活性剤を組み合わせることによって、物品の表面から疎水性ワックス−脂肪性汚れを驚くほど有効に除去する。第２の非イオン性シリコーン表面活性剤と非イオン性表面活性剤が協動して、表面張力を驚くほどの程度まで下げる。表面張力の低下は、汚れの除去とほぼ関係しているようである。表面活性剤の組み合せはまた、汚れとガラス製品またはテーブル用品のセラミックまたは珪質表面との界面に影響するようである。
本特許出願の目的のため、用語「非イオン性表面活性剤」は、疎水基および（ＥＯ）x基（ただし、ｘは、約１から約１００まで範囲の数）を含む少なくとも１つの親水基を有する表面活性剤を示す。一般的疎水基とこのような親水基とを組み合わせることによって、このような組成物に実質的な表面活性が備わる。非イオン性シリコーン表面活性剤は、典型的に、表面活性剤分子に（ＥＯ）x基（ただし、ｘは、約１から約１００までの範囲の数）を含むことができる、少なくとも１つのペンダント型（ぶら下がっている：pendent）ポリアルキレン親水基とともに疎水性シリコーン（ポリジメチルシロキサン）基を有する表面活性剤である。第１の非イオン性表面活性剤は、シリコーン遊離非イオン性表面活性剤または非イオン性シリコーン表面活性剤などの、どんな非イオン性表面活性剤を含むことができるが、第２の非イオン性置換シリコーン表面活性剤は、疎水シリコーン基から遊離した非イオン性物質を含むことはできない。
【図面の簡単な説明】
図１は、本発明の固形ブロックの本実施形態の図である。個々または選択混合成分を材料導入口から順次押出し機に導入し、押し出されたブロックを押出し機出口ダイで有用な形状に形成し、押出しの後、有用な３．０ｋｇのブロックに分ける工程を有する押出し工程により、質量約３．０キログラムの固形ブロックを製造する。硬化してから、材料は、例えば、使用前に取り外すことができるか、または使用中に溶解する収縮ラップに包装することができる。
好適な実施形態の詳細な説明
本発明の洗剤組成物は、アルカリ性洗剤組成物にアルカリ性源、第１の非イオン性表面活性剤および第２の非イオン性シリコーン表面活性剤を配合する。任意に、本発明の組成剤はまた、凝固剤、金属イオン封鎖剤、消毒および殺菌剤、付加的な表面活性剤および種々の他の組成的および応用補助剤を含むことができる。洗剤組成物という用語は、アルカリｐＨおよび上記のような異なる物理形態を有する本発明の表面活性剤混合物を有する、いかなる洗浄、汚れコンディショニング、抗菌、汚れ予防用などの化学物質または他の液体、粉末、固体状などの組成物を含むように広く解釈するべきである。
本発明に用いる第１の非イオン性表面活性剤は、固体または液体であってもよい。非イオン性活性剤は、本発明の組成物において、約０．５重量％から約５０重量％、好ましくは、約１．０重量％から約４０重量％、最も好ましくは、約２．０重量％から約３０重量％用いることができる。
非イオン性表面活性剤は、性質が脂肪族、アルキルまたはアルキル芳香族（疎水性）であり得る有機疎水性化合物での、酸化エチレン（性質が親水性である基を形成する）の縮合によって製造されることがよくある化合物である。別の特定の疎水性化合物で縮合することができる親水性ポリオキシエチレン部分の長さは、簡単に調節することができ、または（ＰＯ）酸化プロピレン、他の酸化アルキレンまたはベンジル末端のような他の置換基と組み合せ、所望の度合いの親水要素と疎水要素とのバランスを有する水溶化合物を生産することができる。
適切な種類の非イオン性表面活性剤の例として、アルキルフェノールの酸化ポリエチレン縮合物などがある。これらの化合物は、直鎖または枝分かれ鎖構造のいずれかの約６〜１２の炭素原子を有するアルキル基を有するアルキルフェノールの酸化エチレンでの縮合物を含む。酸化エチレンの存在量は、アルキルフェノールの１モル当たり酸化エチレンは５〜２０モルである。この種類の化合物は、例えば、平均ノニルフェノール１モル当たり約９．５モルの酸化エチレンで縮合したノニルフェノール、フェノール１モル当たり約１２モルの酸化エチレンで縮合したドデシルフェノール、フェノール１モル当たり約１５モルの酸化エチレンで縮合したジノニルフェノール、フェノール１モル当たり約１５モルの酸化エチレンで縮合したジイソオクチルフェノール（diisoctylphenol）などである。この種の市販の非イオン性表面活性剤は、ジー・エー・エフ社（GAF Corporation）のイジェパル（Igepal）CO-610；およびロームとハス社（Rohm and Haas Company）のＣＦ−１２、Ｘ−４５、Ｘ−１１４、Ｘ−１００およびＸ−１０２などである。
酸化エチレンでの脂肪族アルコールの縮合生成物もまた、有用な表面活性特性を示すことができる。脂肪族アルコールのアルキル鎖は、直鎖または枝分かれ鎖のいずれであってもよく、通常、約３から約２２の炭素原子を含んでいる。アルコール１モル当たり約３から約１８モルの酸化エチレンが好ましい。従来、ポリエステルは、末端が、メチル、ベンジル基などを含むアシル基であることがある。このようなエトキシ化されたアルコールは、例えば、１モルのトリデカノールでの約６モルの酸化エチレンの縮合生成物、ミリスチルアルコール１モル当たり約１０モルの酸化エチレンで縮合されたミリスチルアルコール、ココナッツアルコールが、脂肪アルコールと１０から１４個の炭素原子のアルキル鎖との混合物であり、かつその縮合物が、アルコール１モル当たり約６モルの酸化エチレンを含むような、ココナッツ脂肪アルコールでの酸化エチレンの縮合生成物、および上記ココナッツアルコールでの約９モルの酸化エチレンの縮合生成物などである。この種の市販の非イオン性表面活性剤は、例えば、ユニオンカーバイド社（Union Carbide Corporation）のタージトール（Tergitol）15-S-9、ビー・エイ・エス・エフ社（BASF Corp.）のプルラファック（PLURAFAC）（登録商標）RA-40、シェル化学社（Shell Chemical Company）のネオドル（Neodol）23-6.5、プロクター アンド ギャンブル社（Procter & Gamble Company）のKyro EOB等がある。
プロピレングリコールでの酸化プロピレンの縮合により形成した疎水ベースでの酸化エチレンの縮合生成物を用いることができる。これらの化合物の疎水部分は、約１，５００から１，８００の分子量を有し、もちろん、不水溶性を示す。この疎水部分へのポリオキシエチレン部分の添加により、分子の水溶性が全体として増加する傾向があり、生成物の液体特性は、ポリオキシエチレン含有量が、縮合生成物の全重量の約５０％になるまで保持される。この種の化合物は、例えば、市販のワイアンドットケミカル社（Wyandotte Chemicals Corporation）のプルロニック（Pluronic）表面活性剤などがある。
酸化プロピレンとエチレンジアミンとの反応物での酸化エチレンの縮合生成物を用いることができる。これらの生成物の疎水性ベースは、エチレンジアミンと過量酸化プロピレンとの反応物からなり、このベースは、約２，５００から３，０００の分子量を有する、このベースは、縮合生成物が、ポリオキシエチレンを約４０から約８０重量％含み、約５，０００から約１１，０００の分子量を有する程度まで酸化エチレンで縮合する。この種の非イオン性表面活性剤は、例えば、市販のワイアンドットケミカル社（Wyandotte Chemical Corporation）のテトロニック（Tetronic）化合物などがある。上記の表面活性剤の混合物もまた、本発明に用いることができる。
本発明に用いる非イオン性表面活性剤は、入手可能性および洗浄性能という両方の点からエトキシ化された非イオン性物質である。アルコキシ化された非イオン性表面活性剤の具体例は、これらに限らないが、Ｃ６−２４直鎖アルコール５−１５モルエトキシレートのベンジルエーテル、プルラファック（PLURAFAC）（登録商標）RA-40、直鎖アルコールエトキシレート、トリトン（Triton）CF-21アルキルアリルポリエステル、トリトン（Triton）CF-54、変性ポリエトキシ付加物などである。
第２の非イオン性物質は、変性ジアルキル、好ましくは、ジメチルポリシロキサンを含む本発明のシリコン表面活性剤を含むことができる。ポリシロキサン疎水基は、１つ以上のペンダント型親水ポリアルキレンオキシド基で変性されている。このような表面活性剤は、表面張力を下げ、湿潤性、発泡防止性、汚れ除去性を高める。本発明のシリコーン非イオン性表面活性剤は、別の非イオン性表面活性剤を有する洗剤組成物において、洗剤を水性スプレーで分配することによって作られた水性溶液の表面張力を、約３５と１５ダイン／ｃｍ（０．０３５と０．０１５Ｍ／ｍ）との間、好ましくは、３０と１５ダイン／ｃｍ（０．０３０と０．０１５Ｍ／ｍ）との間まで、下げることができる。本発明のシリコーン表面活性剤は、ポリジアルキルシロキサン、好ましくは、ポリエステル、典型的には、酸化ポリエチレン基が、ヒドロシレーション（hydrosilation）反応によってグラフトされているポリジメチルシロキサンを含む。このプロセスにより、ポリアルキレンオキシド基が、一連の加水分解的に安定したＳｉ−Ｃ結合によってシロキサン骨格に沿って接合している、アルキルペンダント型（ＡＰタイプ）コポリマーが生じる。
これらの非イオン置換ポリジアルキルシロキサン生成物は、以下のような一般式を有する。
0004166836.tif 000002
ここで、ＰＥは、非イオン性基、好ましくは、-CH2-（CH2）p-O-（EO）m（PO）n-Zを表し、ＥＯは、酸化エチレン、ＰＯは、酸化プロピレン、ｘは、約０から約１００の範囲の数、ｙは、約１から１００の範囲の数、ｍ、ｎおよびｐは、約０から約５０の範囲の数（m+n≧１）、ならびにＺは、水素またはＲを表し、Ｒは、それぞれ、独立して、低（Ｃ1-6）直鎖または枝分かれアルキルを表す。
好ましいシリコーン非イオン性表面活性剤は、以下のような一般式を有する。
0004166836.tif 000003
ここで、ｘは、約０から約１００の範囲の数、ｙは、約１から約１００の範囲の数、ａおよびｂは、独立して、約０から約６０の範囲の数（a+b≧１）、ならびにＲは、それぞれ、独立して、Ｈまたは低直鎖または枝分かれ（Ｃ1-6）アルキルを表す。
非イオン性シリコーン表面剤の第２の部類は、アルコキシ末端ブロック（ＡＥＢタイプ）であるが、そのＳｉ−Ｏ−結合は、中性またはわずかにアルカリ条件下では、加水分解に対して、ある程度まで抵抗するが、酸性環境ではすばやく分解するので、好ましさが劣る。
好ましい表面活性剤は、SILWET（登録商標）またはABIL（登録商標）の商標で販売されている。１つの好ましい表面活性剤、SILWET（登録商標）L77は、以下のような式を有する。
0004166836.tif 000004
ここでR1＝-CH2CH2CH2-O-［CH2CH2O］zCH3、ここでｚは、４〜１６、好ましくは４〜１２、最も好ましくは７〜９である。
アルカリｐＨにするために、組成物は、アルカリ性源を含む。一般的に、アルカリ性源は、組成物のｐＨを1重量％水溶液中、少なくとも１０．０、好ましくは、１０．５から１４の範囲まで高める。このようなｐＨは、化学物質が、使用され、汚れの急速な分散をさらに促進する場合、汚れ除去および沈殿分解に十分である。アルカリ性源の一般的特性は、実質的水性溶解度を有する化学物質のみに限られている。アルカリ性源の例は、アルカリ金属けい酸塩、水酸化物、リン酸塩または炭酸塩を含む。
アルカリ性源は、水酸化ナトリウム、水酸化カリウム、水酸化リチウムなどを含むアルカリ金属水酸化物を含むことができる。これらの水酸化物種の混合物を用いることもできる。アルカリ金属けい酸塩はまた、本発明の洗剤のアルカリ性の源として作用することができる。有用なアルカリ金属けい酸塩は、一般式（M2O:SiO2）を有するものである。ここで、M2Oの各モルに対し、SiO2は１モル未満である。SiO2の各モルに対し、約１から約１００モルのM2Oが好ましい。ここで、Ｍは、ナトリウムまたはカリウムを含む。アルカリ性源は、アルカリ金属オルトけい酸塩、アルカリ金属メタシリケートおよび他の周知の洗剤けい酸塩材料が好ましい。
アルカリ性源は、アルカリ金属炭酸塩を含むことができる。本発明に用いてもよいアルカリ金属炭酸塩は、炭酸ナトリウム、炭酸カリウム、重炭酸ナトリウムまたはカリウム、あるいはセスキ炭酸塩などがある。これらのアルカリ性源は、本発明の洗剤に、約５重量％から７０重量％、好ましくは、約１５重量％から６５重量％、最も好ましくは、約３０重量％から５５重量％の濃度で用いることができる。
水を軟化または処理するため、沈殿または他の塩の形成を防止するために、本発明の組成物は、一般的に、キレート化剤、混和剤または金属イオン封鎖剤として知られている成分を含む。一般的に、金属イオン封鎖剤は、雑用水によく存在する金属イオンを錯体化または配位させることができる分子であり、これによって、金属イオンが、組成物内で洗剤成分の機能を妨げないようにする。単一硬度イオンでの金属イオン封鎖剤によって形成することができる共有結合の数は、金属イオン封鎖剤を、二座（２）、三座（３）、四座（４）配位などと標識付けることにより表す。本発明に従い、任意の数の金属イオン封鎖剤を用いても構わない。代表的な金属イオン封鎖剤は、アミノカルボン酸の塩、ホスホン酸塩、水可溶性アクリルポリマーなどがある。
適切なアミノカルボン酸キレート剤は、Ｎ−ヒドロキシエチルイミノ二酢酸、ニトリロ三酢酸（ＮＴＡ）、エチレンジアミン四酢酸（ＥＤＴＡ）、Ｎ−ヒドロキシエチル−エチレンジアミン三酢酸（ＨＥＤＴＡ）およびジエチレントリアミン五酢酸（ＤＴＰＡ）を含む。使用の際、これらのアミノカルボン酸は、一般的に、約１重量％から５０重量％、好ましくは、約２重量％から４５重量％、最も好ましくは、約３重量％から４０重量％の範囲の濃度で存在する。
他の適切な金属イオン封鎖剤は、末端使用条件下での洗浄溶液を調整するために用いる水可溶性アクリルポリマーを含む。このようなポリマーは、ポリアクリル酸、ポリメタクリル酸、アクリル酸−メタクリル酸コポリマー、加水分解ポリアクリルアミド、加水分解メタクリルアミド、加水分解アクリルアミド−メタクリルアミドコポリマー、加水分解ポリアクリロニトリル、加水分解ポリメタクリロニトリル、加水分解アクリロニトリルメタクリロニトリルコポリマーまたはそれらの混合物を含む。代表的なアルカリ金属（例えば、ナトリウムまたはカリウム）またはアンモニウム塩のようなこれらのポリマーの水可溶性塩または部分塩を用いることもできる。ポリマーの重量平均分子量は、約４０００から約１２，０００である。好ましいポリマーは、平均分子量が４０００から８０００の範囲内のポリアクリル酸、ポリアクリル酸の部分ナトリウム塩またはポリアクリル酸ナトリウムを含む。これらのアクリルポリマーは、一般的に、約０．５重量％から２０重量％、好ましくは、約１から１０、最も好ましくは、約１から５の範囲の濃度で用いることができる。
アルカリ金属リン酸塩、縮合環状リン酸塩、ホスホン酸およびホスホン酸塩もまた、金属イオン封鎖剤として有用である。有用なリン酸塩は、アルカリ金属ピロリン酸塩、トリポリリン酸塩ナトリウム（ＳＴＰＰ）のようなアルカリ金属ポリリン酸塩であり、種々の粒子サイズがある。このような有用なホスホン酸は、カルボキシ、ヒドロキシ、チオなど、アルカリ条件下で陰イオンを形成することができる基を含有することもできる、モノ、ジ、トリおよびテトラホスホン酸を含む。これらの中には、一般式の繰り返しモチーフが、R1N［CH2PO3H2］2またはR2C（PO3H2）2OHであるホスホン酸がある。ここで、R1は、−［（低Ｃ1-6）アルキレン］-N-［CH2PO3H2］2または第３-（CH2PO3H2）部分、R2は、（低Ｃ1−Ｃ6）アルキルからなる群から選ばれる。ホスホン酸はまた、約２〜４カルボン酸部分および約１〜３ホスホン酸基を有するもののような低分子量ホスホノポリカルボン酸を含んでもよい。このような酸は、１−ヒドロキシエタン−１，１−ジホスホン酸CH3C（OH）［PO（OH）2］2；アミノトリ（メチレンホスホン酸）N［CH2PO（OH）2］3；アミノトリ（メチレンホスホン酸塩）、ナトリウム塩
0004166836.tif 000005
２−ヒドロキシエチルイミノビス（メチレンホスホン酸）
HOCH2CH2N［CH2PO（OH）2］2；
ジエチレントリアミンペンタ（メチレンホスホン酸）
（HO）2POCH2N［CH2CH2N［CH2PO（OH）2］2］2；
ジエチレントリアミンペンタ（メチレンホスホン酸塩）、ナトリウム塩
C9H（28-x）N3NaxO15P15（ｘ＝７）；
ヘキサメチレンジアミン（テトラメチレンホスホン酸塩）、カリウム塩
C10H（28-x）N2KxO12P4（x=6）；
ビス（ヘキサメチレン）トリアミン（ペンタメチレンホスホン酸）
（HO2）POCH2N［（CH2）6N［CH2PO（OH）2］2］2；
および燐酸H3PO3を含む。
好ましいホスホン酸塩は、アミノトリメチレンホスホン酸またはその塩であり、任意に、ジエチレントリアミンペンタ（メチレンホスホン酸）と組み合せることができる。本発明において金属イオン封鎖剤として用いるとき、ホスホン酸または塩は、固形洗剤に対して、約０．２５〜２５重量％、好ましくは、約１〜２０重量％、最も好ましくは、約１〜１８重量％の範囲の濃度で存在する。
本発明はまた、化学物質成分の混合物から固形洗剤の塊を作るための固化剤を含んでもよい。本発明は、一般的に、必要な程度の固化および水溶解度を提供する任意の作用剤または作用剤の組み合せを用いてもよい。固化剤は、固体特性を与え、かつ／または水性環境に置かれた場合、本発明の組成物の可溶特性を制御する、任意の有機または無機化合物から選んでも良い。固化剤は、水溶解度において相対的増加を有する固化剤を用いることによって、制御された分配を提供することできる。高い水溶解度を必要としないシステム、または溶解が低速度でよいシステムには、有機非イオン性またはアミド硬化剤が適切であるかもしれない。高い程度の水溶解度には、無機固化剤または尿素のような可溶度の高い有機剤がよいかもしれない。
硬度および溶解度を変化させるために、本発明に用いることができる組成物は、ステアリンモノエタノールアミド、ラウリンジエタノールアミド、およびステアリンジエタノールアミドなどのアミド類を含む。非イオン性表面活性剤は、プロピレングリコールまたはポリエチレングリコールのようなカップラーと組み合わせると、硬度および溶解度の程度が多様化することもわかった。本発明に有用な非イオン物質は、ノニルフェノールエトキシレート、直鎖アルキルアルコールエトキシレート・ビー・エー・エス・エフ ワイアンドット（BASF Wyandotte）から市販されているプルロニック（Pluronic）（商標）表面活性剤のような、エチレンオキシド／プロピレンオキシドブロックコポリマーを含む。
硬化剤として特に望ましい非イオン性表面活性剤は、室温で固体であり、カップリング剤と組み合わせた結果、本来的に水溶解度が下がるようなものである。
固化剤として用いることができる他の表面活性剤は、適用温度で固体となる高い融点を有する陰イオン性表面活性剤を含む。最も有用であるとわかった陰イオン性表面活性剤は、直鎖アルキルベンゼンスルホナート表面活性剤、アルコールスルフェート、アルコールエーテルスルフェートおよびαオレフィンスルホナートを含む。一般的に、直鎖アルキルベンゼンスルホナートが、コストおよび効率の点から好ましい。
両性または両性イオン性表面活性剤もまた、洗浄力、乳化、湿潤およびコンディショニング特性において有用である。代表的な両性表面活性剤は、Ｎ−ココヤシ（coco）−アミノプロピオン酸および酸塩、Ｎ−タロー−３−イミノジプロピオナート塩を含む。Ｎ−ラウリル−３−イミノジプロピオナートジナトリウム塩と同様、Ｎ−カルボキシメチル−Ｎ−ココ（coco）アルキル−Ｎ−ジメチルアンモニウムヒドロキシド、Ｎ−カルボキシメチル−Ｎ−ジメチル−Ｎ−（９−オクタデセニル）アンモニウムヒドロキシド、（１−カルボキヘプタデシル）トリメチルアンモニウムヒドロキシド、（１−カルボキウンデシル）トリメチルアンモニウムヒドロキシド、Ｎ−ココアミドエチル−Ｎ−ヒドロキシエチルグリシンナトリウム塩、Ｎ−ヒドロキシエチル−Ｎ−ステアラミドグリシンナトリウム塩、Ｎ−ヒドロキシエチル−Ｎ−ラウラミド−β−アラニンナトリウム塩、Ｎ−ココアミド−Ｎ−ヒドロキシエチル−β−アラニンナトリウム塩、および混合脂環式アミン、ならびにこれらのエトキシ化および硫酸塩化したナトリウム塩、２−アルキル−１−カルボキシメチル−１−ヒドロキシエチル−２−イミダゾリニウムヒドロキシドナトリウム塩、またはアルキル基が、ノリル、ウンデシルまたはヘプタデシルであってもよい遊離酸などがある。また、１，１−ビス（カルボキシメチル）−２−ウンデシル−２−イミダゾリニウムヒドロキシドジナトリウム塩およびオレイン酸−エチレンジアミン縮合物、プロポキシ化および硫酸塩化したナトリウム塩も有用である。アミンオキシド両性表面活性剤もまた有用である。これらの例示は、単に一例にすぎず、これらに限らない。
本発明の組成物に硬化剤として用いることができる他の組成物は、カルバミドとしても知られている尿素、酸またはアルカリ処理によって水可溶化したスターチを含む。本発明の組成物に固化特性を与え、アルカリ剤を保持する加圧タブレットに加工することができる種々の無機物が有用である。このような無機剤は、炭酸カルシウム、硫酸ナトリウム、重硫酸ナトリウム、アルカリ金属リン酸塩、無水ナトリウムアセテートおよび他の公知の水和可能な化合物である。我々はまた、アルカリ金属炭酸塩洗剤組成物のための新規の硬化または結着剤を発見した。我々は、この結着剤は、有機ホスホン酸塩化合物、炭酸ナトリウムおよび水の非晶質錯体を含むと考えている。この炭酸塩リン酸塩水結着剤は、非イオン物質などの他の硬化剤とともに用いることができる。
固化剤は、所与の応用に応じた溶解度および必要な構造的完全性を促進する濃度で用いることができる。一般に、固化剤の濃度は、約５重量％から３５重量％、好ましくは、約１０重量％から２５重量％、最も好ましくは、約１５重量％から２０重量％の範囲である。
本発明の洗剤組成物はまた、漂白源を含んでもよい。この洗剤組成物での使用に適する漂白剤は、食器類、皿類、ポットおよび鍋、繊維、カウンタートップ、器具、床のような基体から、基体を大きく損傷することなく汚れを除去することができる周知のいかなる漂白剤も含む。これらの化合物はまた、応用によっては、殺菌および消毒抗菌効果を提供することができる。漂白剤として、これらに限らないが、次亜塩素酸塩、亜塩素酸塩、塩素化リン酸塩、クロロイソシアネート、クロロアミンなど、および過酸化水素、過ホウ酸塩、過炭酸塩などのような過酸化化合物を含む。
好ましい漂白剤は、典型的な洗浄プロセスで通常遭遇する条件下において、Cl2,Br2,OCl-またはOBr-のような活性ハロゲン種を解放する漂白剤を含む。最も好ましくは、漂白剤は、Ｃｌ2またはＯＣｌ-を放出する。有用な塩素放出漂白剤は、これらに限らないが、次亜塩素酸カルシウム、次亜塩素酸リチウム、塩素化トリナトリウムリン酸塩、ナトリウムジクロロイソシアナウレート（dichloroisocyanaurate）、塩素化トリナトリウムリン酸塩、ナトリウムジクロロイソシアヌレート、カリウムジクロロイソシアヌレート、ペンタイソシアヌレート、トリクロロメラミン、スルホンジクロロアミド、1,3−ジクロロ5,5−ジメチルヒダントイン、Ｎ−クロロスクシンイミド、Ｎ，Ｎ′−ジクロロアゾジカーボンイミド、Ｎ，Ｎ′−クロロアセチル尿素、Ｎ，Ｎ′−ジクロロビウレット、トリクロロシアヌール酸およびその水和物を含む。高活性および漂白効果により、最も好ましい漂白剤は、ジクロロイソシアヌレートのアルカリ金属塩およびその水和物である。一般的に、存在する場合、漂白源または漂白剤の実際の濃度（重量％活性において）は、固形洗剤組成物の約０．５から２０重量％、好ましくは、約１から１０重量％、最も好ましくは、約２から８重量％を含むことができる。
本発明の組成物はまた、物品洗浄組成物に有用な消泡表面活性剤を含むこともある。消泡剤は、タンパク質泡の安定性を低下させるのに適した疎水−親水バランスを有する化学化合物である。疎水性は、分子の親油性部分によって与えることができる。例えば、芳香族アルキルまたはアルキル基、オキシプロピレン単位またはオキシプロピレン鎖あるいはオキシエチレン以外の他のオキシアルキレン官能基は、この疎水特性を提供する。親水性は、オキシエチレン単位、鎖、ブロックおよび／またはエステル基によって与えることができる。例えば、有機リン酸塩エステル、塩タイプ基または塩形成基はすべて、消泡剤内で親水性を提供する。典型的に、消泡剤は、疎水基、ブロックまたは鎖および親水性エステル基、ブロック、単位または鎖を有する非イオン性有機表面活性ポリマーである。しかし、陰イオン性、陽イオン性および両性消泡剤もまた公知である。リン酸塩エステルもまた、消泡剤として用いるのに適している。例えば、一般式RO-（PO3M）n-R（ｎは１から約６０、典型的に、環状リン酸塩では、１０未満の範囲の数、Ｍはアルカリ金属、Ｒは、有機基またはＭ、少なくとも１つのＲは、オキシアルキレン鎖のような有機基）のエステルである。
適切な消泡剤表面活性剤は、エチレンオキシド／プロピレンオキシドブロック非イオン性表面活性剤、フルオロカーボンおよびアルキル化されたリン酸塩エステルを含む。存在する場合、消泡剤は、組成物の約０．１から１０重量％、好ましくは、約０．５から６重量％、最も好ましくは、約１から４重量％の範囲の濃度で存在することがある。
図面の詳細な説明
図１は、本発明の包装された固形ブロック洗剤１０の好適な実施形態の図である。洗剤は、中央がくびれた独特の楕円形を有する。このような形状を有するので、特定の形を有するこのブロックは、この固形ブロック洗剤のための、同様の形状である中央がくびれた楕円形場所を有する噴霧ディスペンサにのみ適合する。市場において、この形状を有する固形ブロック洗剤を全く見かけることがない。この固形ブロックの形状により、不適切な材料がこの材料に代わって、物品洗浄機に使用するディスペンサに簡単に設置されることがない。図１は、鋳型固形ブロック１１を有する全体的な固形ブロック生成物１０（包装１２の除去によって露出される）を示す。包装は、包装１２に付着しているラベル１３を含む。フィルムラッピングは、ラッピングに組み入れられている、弱くなっている引き剥がしライン１５または破裂ラインまたは１５ａを用いることによって簡単に取り外すことができる。
以上の本発明の説明によって、本発明の固形ブロック洗剤を調製するのに用いることができる個々の成分について理解することができる。以下の実施例により、本発明の好適な実施形態、本発明の水表面張力およびワックス汚れ洗浄特性を示し、最適な形態を記載する。
洗剤の製造において、乾燥混合粉末は、完全な組成に粉末成分を混合することによって作ることができる。液体成分は、混合前に乾燥成分に予め吸収させるか、またはカプセル化することができる。凝集材料は、公知の技術および設備を用いて作ることができる。本発明の固形洗剤の製造において、成分は、成分が塊の中で実質的に均一に分散している状態の実質的に均質な粘稠性を形成するように高せん断で混合する。次いで、この混合物は、鋳型または他の容器に流し込んだり、押し出しなどにより混合システムから排出する。混合物は、任意であるが、好ましくは、組成物のディスペンサーとして用いることができる鋳型または他の包装システムの中に流し込んだり、または押し出すのが好ましい。混合システムからの排出時の混合物の温度は、混合物を最初に冷却することなく、混合物を包装システムに直接流し込んだり、または押し出すことができるのに十分に低い温度に維持する。排出時の混合物は、約大気温度、約３０〜５０℃、好ましくは、約３５〜４５℃であるのが好ましい。次いで、組成物は、低密度、スポンジ様、成形可能な高粘度のものから高密度のものまでの固体形態に硬化する。
本発明の好適な方法において、混合システムは、同時回転および互いに噛み合うように設計された、２つの隣接した並行または対向回転スクリューを収納する双スクリュー押出し機であり、この押出し機は、多数の成分注入口、胴体部、および混合物が押し出される排出口を有する。押出し機は、例えば、成分を受け入れ移動させる１つ以上の送り部または運搬部、圧縮部、種々の温度、圧力およびせん断力の混合部、洗剤固形を形成するダイ部などを含むことがある。適切な双スクリュー押出し機は、市販されているものから得ることができ、例えば、ブウラー マイアグ モデル（Buhler Miag Model）Ｎｏ．６２ｍｍ、ブウラー マイアグ、プリマス、ミネソタ、ＵＳＡがある。
スクリュー構造、スクリューピッチ、スクリュー速度、胴体部の温度および圧力、せん断力、混合物の通過速度、水含有量、ダイ孔径、成分送り速度などの押出し条件を、胴体部内で、所望に従い変化させることにより、効果的な成分加工を行い、成分が均一に分散している、実質的に均質な液体または半固体混合物を形成することができる。押出し機内の混合物加工を容易にするために、混合物の粘度は、約１，０００〜１，０００，０００ｃＰ（1〜１，０００Ｐａ・ｓ）、好ましくは、約５，０００〜２００、０００ｃＰ（５〜２００Ｐａ・ｓ）に維持するのが好ましい。
押出し機は、成分を均質な混合物にする、高せん断力加工に効果的な高せん断力スクリュー構造およびピッチ、移動距離（前後）および速度のようなスクリュー条件を含む。スクリューは、運搬、混合、混錬、圧縮、排出などを行う一連の構成要素を含み、胴体部内でのスクリューの動きにより、高せん断力で成分を混合し、混合物を押出機の中を運ぶように、それらの構成要素は配置されている。スクリュー構成要素は、コンベヤー型スクリュー、櫂型、計測スクリューなどであってもよい。好ましいスクリュー速度は、約２０〜２５０ｒｐｍ、より好ましくは、約４０〜１５０ｒｐｍである。
任意に、加熱または除熱のために、加熱および冷却装置を、押出し機に隣接して設置してもよく、これにより、押出し機に所望の温度特性が得られる。例えば、外の熱源から、成分注入部、最終出口部のような、押出し機の１つ以上の胴体部に熱を加えることができる。これにより、ある箇所において、またはある箇所から別の箇所での、あるいは、最終胴体部の排出口での加工の間、混合物の流動度を増すことができる。排出口を含む加工中の混合物の温度は、成分の溶解温度以下、好ましくは、約５０〜２００℃に維持するのが好ましい。
押出し機において、回転スクリューの動きにより、成分が混合され、混合物をかなりの圧力で押出し機の各箇所を通過させる。混合物を所望の粘度レベルに維持するために１つ以上の胴体部において、または押出し機から混合物の排出を容易にするためにダイにおいて、圧力を約６，０００ｐｓｉｇ（４１Ｍｐａ）までの圧力に、好ましくは、約５〜１５０ｐｓｉｇ（３４〜１０３４ｋＰａ）にしてもよい。
押出し機を通過する混合物の流量は、使用する機械のタイプによって様々である。一般に、流量は、成分を実質的に完全に均質な混合物にするのに効果的な時間、押出し機内に混合物がとどまることができ、かつ、混合物を、まだ硬化を行うことなく、連続混合および混合物の最終的な押出しに効果的な流体粘度に維持するように、流量を維持する。
成分の加工が終了すると、混合物は、押出し機から、排出口を通って、好ましくは、生成物の外形用に形成したダイに排出することができる。混合物の押出しを容易にしたり、例えば、大きくするなど、押出し生成物の外観を変えたり、混合物のきめを、所望のように、より平坦または粒状にするなどのために、排出口での圧力を高めてもよい。
成形または押出し組成物は、最終的に、少なくとも一部、冷却および／または成分の化学反応により硬化する。固化プロセスは、例えば、成形または押出し組成物のサイズ、組成物の成分、組成物の温度、および他の類似の要因によるが、１分から約２〜３時間続けることができる。成形または押出し組成物が、「開始」または硬化を始め、約１分から約２時間、好ましくは、約５分から約１時間、好ましくは、約１分から約２０分以内で固体形態になることが好ましい。
上記の明細書は、本発明の広い交線および範囲を理解する基礎となる。以下の実施例および試験データは、本発明の具体的な実施形態の理解を提供し、最適な形態を含む。本発明の概念の変形は、当業者には明らかである。
実施例I
表１のプロトタイプ
１２．４０％  水
２．５％  ベンジル末端、直鎖C10-14 アルコール １２．４モル エトキシレートを含む非イオン性物質
０．５％  アビル（ABIL）（登録商標）Ｂ８８５２
１．５７２％  消泡剤
４．５％  スプレー乾燥アミノトリメチレンホスホン酸、ペンタナトリウム塩４８．５２８％  重灰（無水Na2CO3）
３０％  トリポリ燐酸ナトリウム
上記の組成物を約５５℃の温度で押出し機から押し出し、質量が約３．０キログラムの固形ブロック洗剤を形成した。押出し機は、２つの成分注入口を有していた。第１の注入口に、無水炭酸ナトリウム、ＡＢＩＬ表面活性剤、トリポリ燐酸ナトリウム、アミノトリエチレンホスホン酸金属イオン封鎖剤および非イオン性消泡剤材料の２／３含む乾燥成分を導入した。注入口２に、水、非イオン物質および非イオン性消泡剤組成物の１／３を含む液体成分を加えた。押出し機は、構成成分を均一な塊に混合した。押出し機から出した後、混合塊は、硬化して固体ブロック洗剤になった。
実施例II
３．２０８％  水
２％  ベンジル末端、直鎖C10-14 アルコール １２．４モル エトキシレート
２％  プルラファック（PLURAFAC）（登録商標）RA-40
０．５％  シリコーン（シルウェット（SILWET）（登録商標）L-7602））
１．５７２％  消泡剤
４．３９０％  ２−ホスホノ−ブタン−1,2,4−トリカルボン酸
３．２５０％  ＮａＯＨ、５０％
４３．２８％  炭酸ナトリウム（無水）
３３．５％  トリポリ燐酸ナトリウム
６．３％  ヒドロキシプロピルセルロース被着（１０％）塩素化イソシアヌレートカプセル物
実施例Ｉは、成形固体として製造した。実施例IIおよび表１の各洗剤は、固体を形成することなく、食器洗浄機内で成分を組み合せることによって、プロトタイプの固形ブロックとして調製した。この方法は、成形固体の食器機への分配をシミュレートしている。実施例Ｉの組成は、表Ｉのプロトタイプの基礎として用いた。実施例Ｉは、プロトタイプＩとして繰り返した。プロトタイプIIは、表１に記載の表面活性剤の濃度を増加させることにより製造した。プロトタイプIIIは、プロトタイプＩに挙がっている濃度の表面活性剤に代えて、表に記載の表面活性剤を用いた。各試験試料は、測定量の固形ブロックまたは各個々の成分を、試験洗浄タンク内の測定量の水に加え、本発明による組成洗剤が水と接触してできた洗浄溶液を作ることによって調製した。
第１の非イオン性表面活性剤と第２の非イオン性シリコン含有表面活性剤との混合物の汚れ除去特性を、実施例ＩおよびIIに示したように調製した固体ブロック材料およびプロトタイプ洗剤溶液を用いて測定した。ブロック洗剤およびプロトタイプ溶液を用いて、口紅の汚れを含む物を洗浄した。この試験は、以下の手順に従い行った。
試験手順
１０サイクルのしみ、膜、タンパク質および口紅除去試験を用いて、組成１および２ならびに他の類似の組成を異なる試験条件下で比較した。この試験手順において、清潔な、清潔−口紅しみおよびミルク被膜のリベイ（Libbey）ガラスコップを、施設用食器洗浄機（ホバート（Hobart）C-44）で実験用汚れおよび試験洗剤組成を入れて洗浄した。ミルク被膜は、全乳に清潔なガラスコップを浸漬し、華氏１００度（３８℃）および６５％ＲＨで１時間コンディショニングすることにより形成した。各洗剤の濃度は、１０サイクル試験の間中、一定に保った。
使用した実験用汚れは、ビーフシチューと熱い点状の汚れとの５０／５０の組み合せである。熱い点状の汚れは、４部のブルーボンネット（Blue Bonnet）（登録商標）植物性マーガリンと１部のカーネーション（Carnation）（登録商標）インスタント（Instant）無脂肪性ミルク粉末から作られた脂っぽい疎水性汚れである。
試験において、ミルク被膜が付き、汚れているガラスコップを用いて、洗剤組成の汚れ除去能力を調べ、一方、最初は清潔であるガラスコップを用いて、洗剤組成の再付着防止能力を調べた。試験終了時において、ガラスコップは、点、膜、タンパク質および口紅除去について評価した。評価尺度は、１から５であり、１が最高で、５が最低の結果を示す。
この実験結果を下の表１に示す。この表において、特定の使用濃度および汚れ負荷量における洗剤組成の表面活性剤を、室温および華氏１６０度（７１℃）での表面張力ならびに１サイクルおよび２から１０サイクル試験シーケンスを用いての口紅除去手順について調べた。
0004166836.tif 000006
0004166836.tif 000007
使用した表面活性剤およびその製造元の説明
LF-428:C10-14直鎖アルコール１２．４モルエトキシレートのベンジルエステル（エコラボ）；プルラファック（Plurafac）RA-40：変性エトキシ化直鎖アルコール（ＢＡＳＦ社）；サーファドン（Surfadone）LP-300：Ｎ−ドデシルピロリドン（インターナショナル スペシャルティ プロダクツ（International Specialty Products）；モナウェット（Monawet）MT-70：ジ−トリデシル ナトリウムスルフォサクシネート、７０％（モナ インダストリーズ社（Mona Industries Inc.））；ＪＡＱ クワット（Quat）：Ｎ−アルキル（３％C12、９５％C14、２％C16）ジメチルベンジルアンモニウムクロライド二水和物（ハンティングトン（Huntington）；Abil B 8852、8847、8878、8873；テゴプレン（Tegopren）5840：ポリシロキサンポリエステルコポリマー（ゴールドシュミット ケミカル社（Goldschmidt Chemical Corporation）；シルウェット（Silwet）L-7602、L-7210、L-77：ポリアルキレンオキシド変性ジメチルポリシロキサン（ユニオンカーバイド社（Union Carbide Corporation））；トリトン（Triton）CF-21：アルキルアリルポリエステル（ユニオンカーバイド社）；トリトン（Triton）CF-54：変性ポリエトキシ付加物（ユニオンカーバイド社）；フルオラッド（Fluorad）FC-170-C：フッ素化アルキルポリオキシエチレンエタノール（３Ｍ社）；テンジン（Tengin）L-90：グリセリルモノラウレート（ゴールドシュミット ケミカル社）
表１は、低表面張力と向上したワックス性汚れ洗浄特性との大まかな相関関係を示す。表面活性剤混合物の表面張力が、華氏１６０度において約３０ダイン／ｃｍ未満であると、１サイクルで、アルカリ洗剤ブロックでの表面活性剤混合物が、再付着なく他の汚れとともに口紅の汚れを除去することがわかった。
上記の明細書、実施例およびデータは、本発明の技術的利点を理解する確かな基礎となるが、本発明は種々の実施形態を含みことができるので、本発明は以下の添付の請求項にある。
0004166836.tif 000009